(57)【要約】【目的】洗濯物を早く乾かす事ができ、簡単にかつ沢山干す事のできる開き干し器を提供すること。【構成】所定の間隔を隔てて回動自在に支持された骨部材２（１３）を多数備え、かつ骨部材２（１３）は水平状態から十分に上方へ傾いた状態で保持される構成とする．骨部材２を２本使ってこれに洗濯物を通して開き干しするか、又は１本の骨部材１３の場合はその幅を２５ｍｍ以上として、これに洗濯物を通して開き干しする。【選択図】図１
2008161659.tif 000002
【特許請求の範囲】
【請求項１】
所定の間隔を隔てて回動自在に支持された骨部材を多数備え、かつ前記骨部材は水平状態から十分に上方へ傾いた状態で保持される構成とした事を特徴とする洗濯物の開き干し器。
【請求項２】
所定の間隔を隔てて回動自在に支持された骨部材を多数備え、かつ前記骨部材は水平又はほぼ水平状態で保持される構成とし、更に前記骨部材は前記状態より下方へ傾いた状態でも保持される構成とした事をを特徴とする洗濯物の開き干し器。
【請求項３】
骨部材が水平又はほぼ水平状態でも保持される構成とした請求項１記載の洗濯物の開き干し器。
【請求項４】
骨部材が水平又はほぼ水平状態より下方へ傾いた状態でも保持される構成とした請求項１又は３記載の洗濯物の開き干し器。
【請求項５】
隣接する２本の骨部材に洗濯物を通して開き干しする様にした請求項１ないし４のいずれかに記載の洗濯物の開き干し器。
【請求項６】
骨部材の幅が２５ｍｍ以上である請求項１ないし４のいずれかに記載の洗濯物の開き干し器。
【発明の詳細な説明】
【発明の詳細な説明】
【産業上の利用分野】
【０００１】  本発明は洗濯物を開いて干す事によって乾きを早くする開き干し器に関するものである。
【背景技術】
【０００２】  洗濯物はできる限り早く乾かしたい欲求がある。従来、洗濯物を開いて干す事によって乾きを早くする専用の開き干し器は存在しなかった。従って一般には洗濯バサミを幾つも使って洗濯物を開く様に干し、空気との接触を増して乾きを早くする工夫をしていた。しかしながらこの方法は面倒である．洗濯バサミを幾つも使うので、１つのハンガーには少しの洗濯物しか開き干しする事ができなかった。
【発明が解決しようとする問題点】
【０００３】  本発明の目的は、洗濯物をできる限り早く乾かす開き干し器を提供する事であり、開き干しに際しては簡単にかつ沢山の洗濯物を干す事のできる開き干し器を提供する事である。
【問題点を解決する為の手段】
【０００４】  本発明は上記目的を達成する為、所定の間隔を隔てて回動自在に支持された骨部材を多数備え、かつ前記骨部材は水平状態から十分に上方へ傾いた状態で保持される構成とした．前記骨部材２本に洗濯物を通して開き干しするか、又は１本の骨部材を使う場合は、その幅を２５ｍｍ以上とする事によって開き干しを可能とするのである。
【実施例】
【０００５】  図１（イ）は本発明による洗濯物の開き干し器の一実施例で（Ａ方向から見た図１（ロ）も参照）、１は支持部材４に連結しつつ開き干し器全体を桿やロープに吊り下げる為のフックを示し、所定の間隔を隔てて回動自在に支持された骨部材２が多数備えられている（８〜１０本位が望ましい）。即ち、支持部材４の両端部には回動軸８（１０）を支える軸受部５が備えられ、骨部材２は回動軸８（１０）と例えば一体的に形成されており、これにより骨部材２は回動自在に備えられている．軸受部５は軸受上部６と軸受下部７とから構成され、一方に形成された突起が他方に形成された穴にパチンと嵌り込む事によって合体化する構成となっている（公知の構造である）。骨部材２は図示の如く水平状態より十分に上方へ傾いた状態に（θは水平状態から１０°や２０°程度ではなく３０°以上とする）保持される構成としてあり、これは適当なストッパーにより規制すれば良いから具体的手段は明白であり、説明は省略する．但し、骨部材２は折り畳んで収納する時に便利な様に、フックに接触するまで自由に回動できる様になっている。この場合、前記θは５５°±１０°が望ましく、小さ過ぎると洗濯物を骨部材２に通す時に（特にクリップ３に挟み入れる時に）横ブレし易く、大き過ぎるとフック１が邪魔になって通し難い。本発明では骨部材２は図示の如くθの位置で保持されるのみの構成としても良いが、水平又はほぼ水平状態にも保持される構成としたり（骨部材２がβの位置にある状態）、更にはこの状態より下方に傾いた状態にも保持される構成（骨部材２がγの位置にある状態）とした方が、後述する様により便利になるので、本実施例ではその様に構成した。尚、本発明では骨部材２がβの位置の状態で保持されたり、γの位置の状態でも保持されるのみの構造のものも考えられる（特許請求の範囲、請求項２参照）。軸受部５には角度調整具１２が備えられ、これを取り出して拡大して描いた図１（ニ）の如く段部１２ａに回動軸８（１０）に形成された突起９（１１）が当接すると、骨部材２は図１（イ）に示したαの位置の状態に保持され（骨部材２はフック１を中心に左右対称に備えられている）、角度調整具１２を引き出して突起９（１１）が段部１２ｂに当接すると、骨部材２はβの位置の状態（水平又はほぼ水平状態）に保持され、角度調整具１２を更に引き出して突起９（１１）が段部１２ｃに当接すると、骨部材２はγの位置の状態に保持される様に構成してある。こうすると骨部材２がαの位置の状態では靴下、軍手などを、βの位置の状態ではタオル、おむつ、ブリーフなどを、γの位置の状態では肩の付いた下着、Ｔシャツ、Ｙシャツなどを開き干しする事ができる。洗濯物を開き干しする場合は、隣接する２本の骨部材２に洗濯物を通して開き干しするのであるが（１本使用では開き干しにはならない）、骨部材２の幅を図１（ハ）の如く大きくすれば（２５ｍｍ以上とし、４０〜５０ｍｍ位が望ましい）、１本の骨部材１３に洗濯物を通しても開き干しする事ができる。１４は穴で、洗濯物の乾きを良くする為のものである。尚、図１（ハ）ではＢ方向から見た図１（ホ）の如く骨部材１３の上方側にクリップ３′を備えてある。骨部材２の角度を調整する角度調整具の他の��造を図２に示す。即ち図２において（図２（ロ）は図１（イ）でＣ方向から見た図、図２（ハ）は軸受下部７′を上から見た拡大図、図２（ニ）は軸受上部６′を下方から見た拡大図を示す）、回動軸８′に形成された突起１５が段部１７ａに当接すると（突起１５は浅溝１７内で自由に動き、段部１７ａは浅溝１７より少し高くなっている）骨部材２は図２（イ）の状態に保持され（この時、回動軸８′に形成されたもう１つの突起１６は案内溝１８ａに嵌り込んでおり、少々の力を加えた位では回動軸８′は軸方向へは移動しない）、回動軸８′を少し力を入れて引き出して突起１５が段部１７ｂに当接すると、骨部材２は図１（イ）のβの位置の状態に保持され（この時、突起１６は案内溝１８ｂに嵌り込んでいる）、更に回動軸８′を引き出して突起１５が段部１７ｃに当接すると、骨部材２は図１（イ）のγの位置の状態に保持される（この時、突起１６は案内溝１８ｃに嵌り込んでいる）様になっている。以上は回動軸１０′についても同様の構造である。尚、回動軸８′を図３（イ）の如く左右２つの部分に分け、一方の突起（軸の様なもの）が他方の穴に嵌り込む様にして回動軸８′の左右の部分が互いに独立的に回動できる様に構成すれば、骨部材２の１つのグループＧ１ともう１つのグループＧ２との角度が互いに異なる様に保持する事ができる（例えばグループＧ１の骨部材２を図１（イ）のαの位置の状態に保持し、グループＧ２の骨部材２を図１（イ）のβの位置の状態に保持する様にする）。グループＧ１、Ｇ２の各々の骨部材２の角度調整法は図１、２で説明した通りである。ここで骨部材２の形状について説明すると、洗濯物を通す時に通し易くする必要がある。そこで洗濯物を通すべき隣接する２本の骨部材２に注目し、これを上方から見て図３（ロ）の如く骨部材２間の外側面同志の距離ｌが骨部材２の先端部において順次減少してゆく様に形成する事が望ましい。更に肩の付いた下着、Ｔシャツ、Ｙシャツなどを干す時に骨部材２の先端部により肩がツンとなる事（尖んがる）を防ぐ為、図３（ハ）の如く各々の骨部材２の幅が各々の先端部において幅広となる様に形成する事が望ましい。同じ理由により、図３（ニ）の如く骨部材２を横方向から見て、先端部の上側の面が滑らかに下方へ落ち込んでゆく様に形成する事が望ましい。実際はこれらを組み合わせた構造とする事が望ましい。骨部材１３の形状についても同様で、図３（ヘ）の如く骨部材１３の先端部の幅を順次小さくする様に形成すれば洗濯物を通し易くなり、図３（ト）の如く骨部材１３を横方向から見て先端部の上側の面が滑らかに下方へ落ち込んでゆく様に形成すると、図３（ニ）と同様に洗濯物の肩がツンとなる事が防止される。又、図３（ホ）の如く骨部材２（１３）がへの字状に曲った形状とすれば、図１（イ）において骨部材２（１３）がβの位置にある時はγの位置にある状態と同等となり、角度調整が簡単になる（１段少なくして良い）。尚、骨部材２（１３）は図３（チ）、（リ）に示す如く折り畳み式（回動型）、伸縮式として、長さを２段階に可変とする事も考えられる。次に本発明による洗濯物の開き干し器の使用法について説明する。
即ち、図４（ロ）の如く隣接する２本の骨部材２に靴下、軍手などの袋状の洗濯物を通し、点Ｐ、Ｑを指で摘んで引っ張れば簡単に開き干しできる。
図１（ハ）の幅広の骨部材１３の場合は、１本の骨部材１３に通す。通常はクリップ３を使わないが、風の強い日は使うと良い。又、開き干しとは関係ないが、運動靴も干す事ができる。骨部材２（１３）を図１（イ）のβの位置の状態に保持すると図４（ハ）の如くタオル、おむつ、ブリーフなどの洗濯物を同様に開き干しする事ができる。もちろんこの場合、靴下も開き干しできる。骨部材２（１３）を図１（イ）のγの位置の状態に保持すると、図４（ニ）の如く肩の付いた下着、Ｔシャツ、Ｙシャツなどを同様に開き干しする事ができる。この場合も靴下、タオル、おむつ、ブリーフなども開き干しできる（クリップ３は使う様にする）。又、図１においてフック１を中心に左右対称に備えた骨部材２（１３）の組を図４（イ）の如く上下二段構成とすると、図４（ホ）の如く各種の洗濯物を沢山開き干しする事ができる。図５はパラソルハンガーに本発明を実施したもので（図５（ロ）は図５（イ）を上方から見た図を示す）、通常は骨部材１９を水平又はほぼ水平状態として従来通りの使い方とするが、角度調整具２０を少し回転させると、その高い部分２１が骨部材１９に当接し、これがストッパーの役割をして骨部材１９はδの位置状態に保持される。従って隣接する２本の骨部材１９に靴下、軍手などを通して（δの位置の状態では隣接する２本の骨部材１９間の距離は十分に小さくなっている）開き干しする事ができる。【０００６】  一般に多数の洗濯バサミを吊り下げた枠を有するハンガーでは、これに備えられたフックを桿やロープに掛けて使用するが、室内ではフックを掛ける適当なものがない事がある。その上、洗濯物を早く乾かす必要がある場合は扇風機の風に当てるか、扇風機の付近にフックを掛ける適当なものがない事が殆どである。従って、上記ハンガーに脚を付けて立てられる構造とすれば、どんな場所でもハンガーが使えるので、どんなにか便利になろうと思われる。以上を達成する為には、図６（イ）の如く多数の洗濯バサミを有するハンガーの枠２２にハンガーを立てて使う為の脚２４を収納する構造とするのが良い（図はハンガーの枠２２を下方から見た図であり、洗濯バサミは省略して描いてある）。この場合、横方向に延びる横枠部と縦方向に延びる縦枠部とから成る四角形又は略四角形状の枠２２の横枠部から縦枠部までつながるＬ字形の枠部にＬ字形の脚２４を収納する様にしてある。脚２４は回動軸２５を中心に回動自在に備えられ、脚２４を回動させて立てると図７（イ）の様にハンガーを立てて使う事ができ、洗濯バサミ２３（１個だけ描いてあるが、多数備えられている）に洗濯物を挟んでフックを掛ける適当なものがない場合でも使用する事ができる。又、扇風機の直ぐ近くにハンガーを立てて風を当て、洗濯物を早く乾かす事も容易である。小物の洗濯物は洗濯バサミ２３に挟むだけで良いが、大物の洗濯物はＵ字形になる様に挟むなど工夫をする。尚、脚２４のＬで示した部分を伸縮式（又は折り畳み式）とすれば、図７（ロ）の様に脚が実質的に長くなり、洗濯物を洗濯バサミ２３に挟む時に楽になる。３５は止めピンで、これを押し込めば止めピン３５が穴には入って脚が伸びたままに固定され、引き出せば脚を縮めて枠２２に収納する事ができる。図６��イ）では脚２４がＬ字形のものであったが、図６（ロ）の如く直線状の脚２６，２７を枠２２′に（枠２２′の横方向に延びる横枠部に）収納する構造としても良い。脚２６，２７は各々２本づつあり、各々回動軸２８を中心に回動自在に備えられている。尚、図６（イ）で枠２２が大型になり、図６（ハ）の如く中央部でＥ−Ｅ′線を中心に折り畳む構造の枠２２″では、Ｅ−Ｅ′線付近に脚２９の回動軸３０を備え、横から見て脚２９をハの字形に立てて使用するのが良い。図６（ニ）はパラソルハンガーに対する適用例で、骨部材３１が嵌り込んでいる溝３２において下方まで延びる様に形成された溝３２′が全体で４箇所あり、脚調整具３３を回して切欠き部３４の中に溝３２′に嵌り込んでいる骨部材３１′を入れ込み、再び脚調整具３３を回してロックすれば、前記骨部材３１′はパラソルハンガー全体を立てさせる脚として機能し、これが全体で４本あるから、パラソルハンガーを図７と同様に立たせて使用する事ができる。尚、図６（ロ）では枠２２′に対角線上に互いに交わる補強枠を形成し、脚２６，２７に相当するものを図６（ホ）の如く前記補強枠３６，３６′に収納する様にする事も考えられる。同様の考えを円形の枠に適用した実施例を図６（ヘ）に示す。３７，３７′は補強枠である。
【発明の効果】
【０００７】  本発明によれば洗濯物を骨部材２（１３）に通して洗濯物の２箇所位を摘んで下方へ引っ張れば、これだけで開き干しができるので、操作が簡単であり、従来の様な面倒なところがない．又、従来の様にハンガーに備えられた洗濯バサミを何個も使って開き干しする訳ではないので、沢山の洗濯物を開き干しできる．そして、洗濯物を開き干しできるから、空気との接触が増して風通しが良くなる為、洗濯物を早く乾かす事ができる。
【図面の簡単な説明】
【図１】本発明による洗濯物の開き干し器を示す図．
【図２】角度調整具を示す図．
【図３】本発明による洗濯物の開き干し器の各種実施例を示す図．
【図４】本発明による洗濯物の開き干し器の使用状態を示す図．
【図５】本発明をパラソルハンガーに適用した図．
【図６】脚によって立てて使う洗濯ハンガーを示す図．
【図７】図６の洗濯ハンガーの使用状態を示す図．
【符号の説明】
１はフック、２・１３は骨部材、３・３′はクリップ、４は支持部材、５は軸受部、５′は軸受部、６・６′は軸受上部、７・７′は軸受下部、８・８′・１０・１０′は回動軸、９・１５・１６は突起、１１は突起、１２は角度調整具、１４は穴、１２ａ・１２ｂ・１２ｃは段部、１７は浅溝、１７ａ・１７ｂ・１７ｃは段部、、１８ａ・１８ｂ・１８ｃは案内溝、１９は骨部材、２０は角度調整具、２１は高い部分、２２・２２′・２２″は枠、２３は洗濯バサミ、２４・２６・２７は脚、２５・２８は回動軸、２９は脚、３０は回動軸、３１は骨部材、３２・３２′は溝、３１′は骨部材、３３は脚調整具、３４は切欠き部、３５は止めピン、３６・３６′・３７・３７′は補強枠である。
【図１】
2008161659.tif 000003
【図２】
2008161659.tif 000004
【図３】
2008161659.tif 000005
【図４】
2008161659.tif 000006
【図５】
2008161659.tif 000007
【図６】
2008161659.tif 000008
【図７】
2008161659.tif 000009